(57)【要約】【課題】輝度をあげると共に、コストアップを抑えた放電発光装置を得る。【解決手段】第１基板２２，第２基板２３の長手方向に沿う中央部の両側の第１蛍光体層３０，第２蛍光体層３１から発した光が、第２基板２３の放電空間と反対側の原稿４３で反射し、反射した光が第１基板２２，第２基板２３の長手方向に沿う中央部を透過し、第１基板２２の放電空間と反対側に設けたレンズ４４に集光され、集光された反射光をセンサ４６で検出するようにしたものである。一体に形成した両側の蛍光体層の光源により輝度をあげると共に、コストアップを抑えることができる。【選択図】図１
2005044742.tif 000002
【特許請求の範囲】
【請求項１】
透明な第１基板、
この第１基板の長手方向に沿う中央部を空けて上記第１基板に形成された並行する第１電極、
透明な第２基板、
この第２基板の長手方向に沿う中央部を空けて上記第２基板に形成された並行する第２電極、
上記第１基板と、上記第１電極と上記第２電極が対向するように上記第１基板と対向する上記第２基板と、側壁とで放電空間を形成する容器、
上記第１基板の長手方向に沿う中央部を空けて形成され、上記第１電極に対向して上記第１基板の放電空間側に形成された並行する第１蛍光体層、及び、
上記第２基板の長手方向に沿う中央部を空けて形成され、上記第２電極に対向して上記第２基板の上記放電空間側に形成された並行する第２蛍光体層を備え、
上記基板の長手方向に沿う中央部の両側の上記蛍光体層から発した光が上記第２基板の放電空間と反対側の原稿で反射し、反射した光が上記基板の長手方向に沿う中央部を透過し、上記第１基板の放電空間と反対側に達するようにした放電発光装置。
【請求項２】
透明な第１基板、
この第１基板の長手方向に沿う中央部を空けて上記第１基板に形成された並行する第１電極、
透明な第２基板、
この第２基板の長手方向に沿う中央部を空けて上記第２基板に形成された並行する第２電極、
上記第１基板と、上記第１電極と上記第２電極が対向するように上記第１基板と対向する上記第２基板と、側壁とで放電空間を形成する容器、
上記第１基板の長手方向に沿う中央部を空けて形成され、上記第１電極に対向して上記第１基板の放電空間側に形成された並行する第１蛍光体層、及び、
上記第２基板の長手方向に沿う中央部を空けて形成され、上記第２電極に対向して上記第２基板の上記放電空間側に形成された並行する第２蛍光体層を備え、
並行する上記第１蛍光体層間の長手方向に沿う中央部の離間距離を、並行する上記第２蛍光体層間の長手方向に沿う中央部の離間距離より短くした放電発光装置。
【請求項３】
上記第２基板は、その板面を読取り原稿が搬送されるガラス板を兼用している請求項１又は請求項２記載の放電発光装置。
【請求項４】
上記第１基板の長手方向に沿う中央部を空けて形成され、上記第１電極を被覆する並行する誘電体層、及び、
上記第２基板の長手方向に沿う中央部を空けて形成され、上記第２電極を被覆する並行する誘電体層を備えた請求項１〜請求項３のいずれか１項に記載の放電発光装置。
【請求項５】
上記誘電体層は黒色色調を有する遮光層である請求項４記載の放電発光装置。
【請求項６】
並行する上記誘電体層間の長手方向に沿う中央部の離間距離を、上記誘電体層と同基板に形成された並行する上記蛍光体層間の長手方向に沿う中央部の離間距離より短くした請求項４記載の放電発光装置。
【請求項７】
上記第１基板の並行する上記誘電体層間の長手方向に沿う中央部の離間距離を、上記第２基板の並行する上記誘電体間の長手方向に沿う中央部の離間距離より短くした請求項４記載の放電発光装置。
【請求項８】
上記第１基板の上記第１電極は、上記第１基板の上記放電空間と反対側に形成されている請求項１〜請求項７のいずれか１項に記載の放電発光装置。
【請求項９】
上記第１基板の上記第１電極は、上記第１基板の上記放電空間側に形成されている請求項１〜請求項７のいずれか１項に記載の放電発光装置。
【請求項１０】
上記第２基板の上記第２電極は、上記第２基板の上記放電空間側に形成されている請求項１〜請求項９のいずれか１項に記載の放電発光装置。
【請求項１１】
上記第１基板の上記第１電極は、その並行する第１電極同士がその長手方向の一端で接続されて接続部を形成し、外部の高圧電源に接続される構造となっている請求項１〜請求項１０のいずれか１項に記載の放電発光装置。
【請求項１２】
上記第２基板の上記第２電極は、その並行する第２電極同士がその長手方向の一端で接続されて接続部を形成し、外部の高圧電源に接続される構造となっている請求項１〜請求項１１のいずれか１項に記載の放電発光装置。
【請求項１３】
透明な第１基板、
この第１基板の長手方向に沿う中央部を空けて上記第１基板に形成された並行する第１電極、
透明な第２基板、
この第２基板の長手方向に沿う中央部を空けて上記第２基板に形成された並行する第２電極、
上記第１基板と、上記第１電極と上記第２電極が対向するように上記第１基板と対向する上記第２基板と、側壁とで放電空間を形成する容器、
上記第１基板の長手方向に沿う中央部を空けて形成され、上記第１電極に対向して上記第１基板の放電空間側に形成された並行する第１蛍光体層、
上記第２基板の長手方向に沿う中央部を空けて形成され、上記第２電極に対向して上記第２基板の上記放電空間側に形成された並行する第２蛍光体層、
上記第１基板の長手方向に沿う中央部の放電空間と反対側に配置され、原稿により反射された反射光を集光するレンズ、及び、
上記レンズからの反射光を検出するセンサを備え、
上記基板の長手方向に沿う中央部の両側の上記蛍光体層から発した光が上記第２基板の放電空間と反対側の原稿で反射し、反射した光が上記基板の長手方向に沿う中央部を透過し、上記第１基板の放電空間と反対側に設けた上記レンズに集光され、集光された反射光を上記センサで検出するようにした密着イメージセンサ。
【請求項１４】
透明な第１基板、
この第１基板の長手方向に沿う中央部を空けて上記第１基板に形成された並行する第１電極、
透明な第２基板、
この第２基板の長手方向に沿う中央部を空けて上記第２基板に形成された並行する第２電極、
上記第１基板と、上記第１電極と上記第２電極が対向するように上記第１基板と対向する上記第２基板と、側壁とで放電空間を形成する容器、
上記第１基板の長手方向に沿う中央部を空けて形成され、上記第１電極に対向して上記第１基板の放電空間側に形成された並行する第１蛍光体層、
上記第２基板の長手方向に沿う中央部を空けて形成され、上記第２電極に対向して上記第２基板の上記放電空間側に形成された並行する第２蛍光体層、
上記第１基板の長手方向に沿う中央部の放電空間と反対側に配置され、原稿により反射された反射光を集光するレンズ、及び、
上記レンズからの反射光を検出するセンサを備え、
並行する上記第１蛍光体層間の長手方向に沿う中央部の離間距離を、並行する上記第２蛍光体層間の長手方向に沿う中央部の離間距離より短くした密着イメージセンサ。
【請求項１５】
上記第２基板は、その板面を読取り原稿が搬送されるガラス板を兼用している請求項１３又は請求項１４記載の密着イメージセンサ。
【請求項１６】
上記第１基板の長手方向に沿う中央部を空けて形成され、上記第１電極を被覆する並行する誘電体層、及び、
上記第２基板の長手方向に沿う中央部を空けて形成され、上記第２電極を被覆する並行する誘電体層を備えた請求項１３〜請求項１５のいずれか１項記載の密着イメージセンサ。
【発明の詳細な説明】
【技術分野】
【０００１】
この発明は、キセノン等の放電ガスを封入した電極間における放電により発光する放電発光装置、及びこの放電発光装置を光源とする密着イメージセンサに関するものである。
【背景技術】
【０００２】
従来、図形等を読取る密着イメージセンサ等の光源としては、電極間に封入されたガスの自発放電を利用した放電発光装置がある。密着イメージセンサでは、プラテンとガラス板との間に挟まれた原稿に放電発光装置により光が照射され、その反射光がロッドレンズアレイを通過してセンサにより電気信号に変換されて、原稿の内容が読取られている。
【０００３】
この放電発光装置は、一般に対向配置された２つの基板によりキセノン等の放電ガスを封入し、各基板上に配設した電極間に１〜２ＫＶ程度の交流電圧を印加すると、放電ガスが電離して紫外線を放出し、この紫外線で蛍光体が励起され発光する構成である。
図６は特許文献１等に記載された従来の放電発光装置を示す構成断面図である。放電発光装置１は、ガラス板からなる第１基板２を有する。この第１基板２上には、第１電極３が形成されている。誘電体層４が第１電極３を覆うように第１基板２上に形成されている。第２基板６は、平面状の対向部６ａ、傾斜部６ｂと脚部６ｃで形成される凹部を有し、第１基板２上に載置されてその凹形の容器構造により放電空間９を形成している。
【０００４】
第２電極７は第２基板６上の放電空間９と反対側の外表面上に形成されている。蛍光体層５は放電空間９内において、下層の蛍光体を誘電体層４上に、上層の蛍光体を第２基板６上に設けている。封止層８は第１基板２と第２基板６とを接着して放電空間９を形成している。放電空間９には、キセノン等の放電ガスが封入されている。傾斜部６ｂは第２基板６の対向部６ａと第１基板２との交わる部分に形成され、第２基板６の対向部６ａに対して略角度４５°をなすように形成されている。この傾斜部６ｂ上の放電空間９内には蛍光体層５は設けていない。したがって、放電空間９内で発生した放電光はその傾斜部６ｂから外部に出射するように構成している。
【０００５】
第１基板２は矩形状の外形を有し、その長手方向に矩形状の第１電極３が形成されている。この第１電極３の長手方向の一端は、外部の高圧電源に接続される構造となっている。誘電体層４は第１電極３を覆う矩形状の外形を有している。蛍光体層５は誘電体層４上に矩形状に形成されている。
【０００６】
図７は図６で示した放電発光装置をその光源として用いたときの密着イメージセンサの構成断面図である。放電発光装置１は密着イメージセンサ１０の光源となっている。図６と図７において、筐体１２は、放電発光装置１が載置される載置部１８を有し、放電発光装置１の第１基板２を水平に支持している。ガラス板１５は筐体１２に支持されており、このガラス板１５の裏面には、放電発光装置１の第２基板６が密着するように配置されている。放電発光装置１の傾斜部６ｂはプラテンローラによって搬送される原稿１６の照射点に近い位置に配置される。傾斜部６ｂの傾斜角を４５°とすると、この傾斜部６ｂから出射した光が照射点になるように配置される。図中の矢印の経路で示すように、原稿１６で反射された反射光は、ロッドレンズアレイ１４により集光され、回路基板１１に搭載されたセンサ１３により光電変換されて原稿１６の内容が読み取られる。
【０００７】
一般に原稿面の明るさ（原稿面照度）は、光源の輝度に比例し、光源と原稿面の距離の２乗に反比例するから、光源発光面と原稿面の距離を短縮できれば、同一の輝度の光源を用いても原稿面照度を上げることができる。また、光源と原稿面との間の不要な空間が減少すると、読取原稿面以外からの反射・散乱による外乱を抑えることもでき、高精度の原稿読取が可能となる。
【０００８】
【特許文献１】特開２００２−１３４０６４号公報
【発明の開示】
【発明が解決しようとする課題】
【０００９】
しかしながら、図７に示すように、ロッドレンズアレイ１４の片側にのみ、放電発光装置１を組み込んだ場合は、原稿１６にしわや段差があると影になり、原稿１６の読み取り内容が不鮮明になり易く、かつ、放電発光装置１の輝度が充分でないことがある。これらを解消するために、ロッドレンズアレイ１４の両側に放電発光装置１をそれぞれ組み込む構成が考えられる。このようにすると、原稿のしわの影による不鮮明さがなくなり、輝度を上げることはできるが、コストアップが避けられない。
【００１０】
この発明は、一体に形成した両側の蛍光体層の光源により輝度を上げると共に、コストアップを抑制した放電発光装置及びこの放電発光装置を光源として用いる密着イメージセンサを得ることを目的とする。
【課題を解決するための手段】
【００１１】
この発明に係わる放電発光装置は、
透明な第１基板、
この第１基板の長手方向に沿う中央部を空けて上記第１基板に形成された並行する第１電極、
透明な第２基板、
この第２基板の長手方向に沿う中央部を空けて上記第２基板に形成された並行する第２電極、
上記第１基板と、上記第１電極と上記第２電極が対向するように上記第１基板と対向する上記第２基板と、側壁とで放電空間を形成する容器、
上記第１基板の長手方向に沿う中央部を空けて形成され、上記第１電極に対向して上記第１基板の放電空間側に形成された並行する第１蛍光体層、及び、
上記第２基板の長手方向に沿う中央部を空けて形成され、上記第２電極に対向して上記第２基板の上記放電空間側に形成された並行する第２蛍光体層を備えたものである。
そして、上記基板の長手方向に沿う中央部の両側の上記蛍光体層から発した光が上記第２基板の放電空間と反対側の原稿で反射し、反射した光が上記基板の長手方向に沿う中央部を透過し、上記第１基板の放電空間と反対側に達するようにしたものである。
【００１２】
また、並行する第１蛍光体層間の長手方向に沿う中央部の離間距離を、並行する第２蛍光体層間の長手方向に沿う中央部の離間距離より短くしたものである。
【００１３】
また、第２基板は、その板面を読取り原稿が搬送されるガラス板を兼用している。
【００１４】
また、この発明の密着イメージセンサは、
透明な第１基板、
この第１基板の長手方向に沿う中央部を空けて上記第１基板に形成された並行する第１電極、
透明な第２基板、
この第２基板の長手方向に沿う中央部を空けて上記第２基板に形成された並行する第２電極、
上記第１基板と、上記第１電極と上記第２電極が対向するように上記第１基板と対向する上記第２基板と、側壁とで放電空間を形成する容器、
上記第１基板の長手方向に沿う中央部を空けて形成され、上記第１電極に対向して上記第１基板の放電空間側に形成された並行する第１蛍光体層、
上記第２基板の長手方向に沿う中央部を空けて形成され、上記第２電極に対向して上記第２基板の上記放電空間側に形成された並行する第２蛍光体層、
上記第１基板の長手方向に沿う中央部の放電空間と反対側に配置され、原稿により反射された反射光を集光するレンズ、及び、
上記レンズからの反射光を検出するセンサを備えたものである。
そして、上記基板の長手方向に沿う中央部の両側の上記蛍光体層から発した光が上記第２基板の放電空間と反対側の原稿で反射し、反射した光が上記基板の長手方向に沿う中央部を透過し、上記第１基板の放電空間と反対側に設けた上記レンズに集光され、集光された反射光を上記センサで検出するようにしたものである。
【発明の効果】
【００１５】
この発明の放電発光装置によれば、一体に形成した両側の蛍光体層の光源により輝度をあげることができると共に、コストアップを抑えることができる。
【００１６】
また、並行する第１蛍光体層間の長手方向に沿う中央部の離間距離を、並行する第２蛍光体層間の長手方向に沿う中央部の離間距離より短くしたので、両側の第１蛍光体層からの光を第２基板の長手方向に沿う中央部から効果的に出射することができる。
【００１７】
また、第２基板は、その板面を読取り原稿が搬送されるガラス板を兼用しているので、光源となる第１蛍光体層と原稿面までの距離を短くできると共に小型化することができる。
【００１８】
また、この発明の密着イメージセンサによれば、蛍光体層の光源をレンズの両側に一体に形成したことにより、輝度をあげることができると共に、コストアップを抑えることができる。
【発明を実施するための最良の形態】
【００１９】
実施の形態１．
図１はこの発明の実施の形態１である放電発光装置を示す構成断面図である。図２は図１を第１基板側からみた外平面図である。放電発光装置２１は、透明なガラス板からなる第１基板２２と、透明なガラス板からなる第２基板２３と、ガラスからなる側壁２４とを有し、これらで被われる容器構造により放電空間２５を形成している。図１と図２に示すように、細長い矩形状の第１基板２２の放電空間と反対側における第１基板２２上に、第１基板２２の長手方向に沿う中央部を空けて並行する細長い矩形状の第１電極２６ａ，２６ｂが２列形成されている。第１電極２６ａ，２６ｂは、それらの長手方向の一端で接続されて接続部２６ｃが形成され、その接続部２６ｃで外部の高圧電源に接続される。第１電極２６ａ，２６ｂは、Ａｇ，Ｃｕ，又はＡｌ等の良導電性の金属により構成されている。
【００２０】
細長い矩形状の誘電体層２７ａ，２７ｂは、第１基板２２の長手方向に沿う中央部を空けて、第１電極２６ａ，２６ｂをその接続部２６ｃの一部を露出させて、それぞれ覆うように第１基板２２上に並行して形成されている。誘電体層２７ａ，２７ｂは酸化ビスマスと酸化亜鉛を主成分とする絶縁材により構成されている。誘電体層２７ａ，２７ｂは絶縁層の機能を果たしており、別途絶縁板を沿わせるようにしてもよい。誘電体層２７ａ，２７ｂは例えば黒色色調を有する遮光層である。第１基板２２の放電空間と反対側に第１電極２６ａ，２６ｂを構成するものでは、誘電体層２７ａ，２７ｂは例えばシリコーン等の有機樹脂絶縁材料で形成しても良い。
【００２１】
第１基板２２に対向する細長い矩形状の第２基板２３には、その放電空間２５側に、第１電極２６ａ，２６ｂと対向し、第２基板２３の長手方向に沿う中央部を空けて並行する細長い矩形状の第２電極２８ａ，２８ｂが２列形成されている。第２電極２８ａ，２８ｂは、それらの一端が接続されて接続部２８ｃを形成している。接続部２８ｃは側壁２４の外側に張り出し、外部の高圧電源に接続される。第２電極２８ａ，２８ｂも、Ａｇ，Ｃｕ，又はＡｌ等の良導電性の金属により構成されている。図１に示すように、第１電極２６ａ，２６ｂ間の長手方向に沿う中央部の離間距離は、第２電極２８ａ，２８ｂ間の長手方向に沿う中央部の離間距離より小さく中心（中心線で表している）寄りになっている。
【００２２】
細長い矩形状の誘電体層２９ａ，２９ｂが、第２基板２３の長手方向に沿う中央部を空けて、第２電極２８ａ，２８ｂをその接続部２８ｃの一部を露出させて、それぞれ覆うように第２基板２３上に並行して形成されている。誘電体層２９ａ，２９ｂは、第２電極２８ａ，２８ｂが外部に張り出す位置の第２基板２３と側壁２４が接着される部分にも被覆している。誘電体層２９ａ，２９ｂは酸化ビスマスと酸化亜鉛を主成分とする絶縁材により構成されている。誘電体層２９ａ，２９ｂは例えば黒色色調を有する遮光層である。なお、第２電極２８ａ，２８ｂは必要であれば、第２基板２３の放電空間と反対側に形成してもよく、このとき、絶縁層の機能を果たす誘電体層２９ａ，２９ｂは、別途絶縁板を沿わせるようにしてもよい。図１に示すように、誘電体層２７ａ，２７ｂ間の長手方向に沿う中央部の離間距離は、誘電体層２９ａ，２９ｂ間の長手方向に沿う中央部の離間距離より小さく中心寄りになっている。これにより、誘電体層の黒色色調を有する遮光機能と相まって、読取原稿面以外からの反射・散乱による外乱を抑えることができる。
【００２３】
細長い矩形状の第１蛍光体層３０ａ，３０ｂは、第１基板２２の放電空間２５側上に第１基板２２の長手方向に沿う中央部を空けて、第１電極２６ａ，２６ｂとそれぞれ対向して２列に並列に形成され、下層の蛍光体となる。細長い矩形状の第２蛍光体層３１ａ，３１ｂは、第２基板２３の誘電体層２９ａ，２９ｂ上（即ち、第２基板２３の放電空間側）に第２基板２３の長手方向に沿う中央部を空けて、第２電極２８ａ，２８ｂとそれぞれ対向して２列に並列に形成され、上層の蛍光体となる。図１に示すように、第１蛍光体層３０ａ，３０ｂ間の長手方向に沿う中央部の離間距離ｄ１は、第２蛍光体層３１ａ，３１ｂ間の長手方向に沿う中央部の離間距離ｄ２より小さく中心寄りになっている。
【００２４】
又、誘電体層２７ａ，２７ｂ間の長手方向に沿う中央部の離間距離は、第１蛍光体層３０ａ，３０ｂ間の長手方向に沿う中央部の離間距離より小さく中心寄りになっている。誘電体層２９ａ，２９ｂ間の長手方向に沿う中央部の離間距離は、第２蛍光体層３１ａ，３１ｂ間の長手方向に沿う中央部の離間距離より小さく中心寄りになっている。このように、並行する上記誘電体層間の長手方向に沿う中央部の離間距離を、上記誘電体層と同基板に形成された並行する上記蛍光体層間の長手方向に沿う中央部の離間距離より短くした。これにより、蛍光体層の発光で、蛍光体層の裏面から発する光を効果的に遮光できる。
なお、第１蛍光体層３０ａ，３０ｂと第２蛍光体層３１ａ，３１ｂの蛍光体の膜厚は、同じである必要はない。
【００２５】
第１蛍光体層３０ａ，３０ｂと第２蛍光体層３１ａ，３１ｂの蛍光体の膜厚は、略４０μmの厚みを有し、その表面で最大の発光が得られるように反射型の構成を有している。蛍光体の膜厚と発光強度の関係は、一般に蛍光体の膜厚が増す程強くなるが、４０μｍ以上では、略発光強度は膜厚変化に対して飽和するため、膜厚変化に対して発光強度の変化が少なく、装置内で均一な発光分布を得やすくしている。したがって、蛍光体の膜厚は、蛍光体の膜厚変化に対する発光強度の変化、材料量、形成上の工数等に鑑み、４０〜６０μｍの範囲内にすることが望ましい。
【００２６】
封止層３２はフリットを溶融して形成されたガラス層（低軟化点ガラス）で構成され、第１基板２２と第２基板２３とをガラスからなる側壁２４を介在して接着して放電空間２５を形成している。放電空間２５には、キセノン等の放電ガスが封入されている。第１電極２６ａ，２６ｂの接続部２６ｃと第２電極２８ａ，２８ｃの接続部２８ｃ間に、外部の高圧電源が印加さると、放電空間２５内の放電ガスが電離して紫外線を放出し、この紫外線で蛍光体が励起され発光する。
【００２７】
又、第２基板２３は、その板面を読取り原稿が搬送されるガラス板（即ち天板ガラス）も兼用している。第２基板２３の矩形の大きさは第１基板２２のそれより大きく形成されている。このように、放電発光装置２１の第２基板２３が原稿と接するガラス板も兼ねて、放電発光装置と上記ガラス板が一体化されることにより、放電発光部と原稿照射点とが接近し、照射点における照度を上がることができると共に、小型化ができる。なお、必要であれば、第２基板２３と天板ガラスとを別体にしても良い。
【００２８】
図３は図１で示した放電発光装置をその光源として用いたときの密着イメージセンサの構成断面図である。放電発光装置２１は密着イメージセンサ４０の光源となっている。図１と図３において、筐体４１は、例えば、Ａｌ（アルミニューム）製やＰＣ（ポリカーボネイト）等の樹脂製で、放電発光装置２１の第２基板２３（ガラス板）の外周縁部が載置される載置部４２を有し、放電発光装置２１を水平に支持している。放電発光装置２１の第２基板２３は、プラテンローラによって搬送される原稿４３と接するガラス板も兼ねているため、放電発光装置２１の発光部と原稿４３の照射点４７とは極めて近い位置関係になっている。
【００２９】
図中の矢印の経路で示すように、蛍光体層からの光は原稿４３で反射される。その反射光は、ロッドレンズアレイ（即ち、レンズ）４４により集光され、回路基板４５に搭載されたセンサ４６により光電変換されて原稿４３の内容が読取られる。この回路基板４５は容易に交換できるように筐体４１にネジ止め固定されている。
【００３０】
図４は図１の放電発光装置で原稿を読取る動作を説明する図である。第１電極２６ａ，２６ｂの接続部２６ｃと第２電極２８ａ，２８ｃの接続部２８ｃ間に、外部から高圧電源を印加すると、放電空間２５の放電ガスが電離して紫外線を放出し、この紫外線で蛍光体が励起されて、蛍光体層３０ａ，３０ｂと蛍光体層３１ａ，３１ｂが発光する。一方、第１基板２２の第１電極２６ａ，２６ｂ間、換言すれば、誘電体層２７ａ，２７ｂ間（第１基板２２の長手方向に沿う中央部）の中心（図４に中心線で示す）には、図４に示すように、樹脂で被覆されたロッドレンズアレイ４４が第１基板２２に対向して垂直に配置されている。ロッドレンズアレイ４４が受光する開口角は、一般的に狭く、図４に示すαは、例えば１２°であるので、ロッドレンズアレイ４４は１２°以内の光しか受光しない。
【００３１】
そのため、図４に示す第２基板２３の蛍光体層３１ａ，３１ｂから発した光ｈ１は、直接にはロッドレンズアレイ４４に受光されない。蛍光体層３１ａ，３１ｂから発した光ｈ２は、蛍光体層３０ａ，３０ｂで反射して原稿４３の照射点４７（図４に中心線で示す原稿照射中心）を照射してロッドレンズアレイ４４に受光される。蛍光体層３０ａ，３０ｂから発した光ｈ３は、原稿４３の照射点４７を照射してロッドレンズアレイ４４に受光される。このように、ロッドレンズアレイ４４は蛍光体からの直接光は受光しないが、蛍光体から原稿４３で反射した反射光は受光される。
【００３２】
蛍光体層３０ａ，３０ｂの離間距離ｄ１（図１参照）は、蛍光体層３１ａ，３１ｂの離間距離ｄ２より短くして、蛍光体層３０ａ，３０ｂから発した光の多くが、第２基板２３の長手方向に沿う中央部から効果的に出射し、原稿４３の照射点４７を照射し、反射してロッドレンズアレイ４４に受光されるようにすることが望ましい。図では、光源となる蛍光体からの光量分布中心が原稿４３の照射点４７（即ち原稿照射中心）になっている。又、蛍光体層３１ａ，３１ｂの離間距離ｄ２を短くして（つまり、図４の円錐台の延長線（破線）より中心寄りにして）、蛍光体層３１ａ，３１ｂからの光が直接ロッドレンズアレイ４４に受光されるようにしてはいけない。
【００３３】
図３に示す、密着イメージセンサ４０に組み込んだ放電発光装置２１は、（Ａ３サイズに対応して）例えば、長さ３２７mm、厚み３．２〜５．２mmで、その厚みの内、第１基板と第２基板の厚みはそれぞれ１．１mm、第２基板（原稿と接するガラス板）の幅２５mmである。図３に示す放電発光装置２１は、第２基板２３が原稿と接するガラス板も兼用しているため、光源となる蛍光体層から原稿４３の照射点４７までの距離は、第２基板の厚み（ガラス板の厚み）この例では、１，１mm×√２だけ短くなる。原稿面の明るさ（原稿面照度）は、光源と原稿面までの距離の２乗に反比例するので、距離が短くなった分、その明るさを上げることができる。
【００３４】
以上のように、この発明では、上記基板（第１基板２２，第２基板２３）の長手方向に沿う中央部の両側の上記蛍光体層（第１蛍光体層３０，第２蛍光体層３１）から発した光が第２基板２３の放電空間と反対側の原稿４３で反射し、反射した光が上記基板（第１基板２２，第２基板２３）の長手方向に沿う中央部を透過し（即ち、放電空間を構成する容器の中央部を透過し）、第１基板２２の放電空間と反対側に設けたレンズ４４に集光され、集光された反射光をセンサ４６で検出するようにしたものである。そのため、一体に形成した両側の蛍光体層の光源により輝度をあげることができると共に、コストアップを抑えることができる。
【００３５】
実施の形態２．
図５は実施の形態２である他の放電発光装置を示す構成断面図である。放電発光装置５１は、実施の形態１の放電発光装置２１に相当するもので、同一又は相当部分には同一符号を付して詳細な説明を省略する。実施の形態２では、第１電極２６ａ，２６ｂと誘電体層２７ａ，２７ｂを、第１基板２２の放電空間側に第１基板２２の長手方向に沿う中央部を空けて形成している。そして、第１蛍光体層３０ａ，３０ｂを第１基板２２の放電空間側に第１基板２２の長手方向に沿う中央部を空けて、誘電体層２７ａ，２７ｂ上に形成している。このように構成しても、実施の形態１の放電発光装置及びその放電発光装置を用いた密着イメージセンサと同様に動作することができる。
【産業上の利用可能性】
【００３６】
この発明の放電発光装置（及びこれを用いた密着イメージセンサ）は、イメージセンサの他に、ファックスや複写機の原稿読取り用の光源にも適用できる。
【図面の簡単な説明】
【００３７】
【図１】この発明の実施の形態１である放電発光装置を示す構成断面図である。
【図２】図１を第１基板側からみた外平面図である。
【図３】図１で示した放電発光装置をその光源として用いたときの密着イメージセンサの構成断面図である。
【図４】図１の放電発光装置で原稿を読取る動作を説明する図である。
【図５】実施の形態２である他の放電発光装置を示す構成断面図である。
【図６】従来の放電発光装置を示す構成断面図である。
【図７】図６で示した放電発光装置をその光源として用いたときの密着イメージセンサの構成断面図である。
【符号の説明】
【００３８】
２１  放電発光装置                      ２２  第１基板                
２３  第２基板                          ２４  側壁
２５  放電空間                          ２６  第１電極
２６ｃ  接続部                          ２７  誘電体層
２８  第２電極                          ２８ｃ  接続部
２９  誘電体層                          ３０  第１蛍光体層
３１  第２蛍光体層                      ３２  封止層
４０  密着イメージセンサ                ４１  筐体
４２  載置部                            ４３  原稿
４４  ロッドレンズアレイ                ４５  回路基板
４６  センサ                            ４７  照射点。
【図１】
2005044742.tif 000003
【図２】
2005044742.tif 000004
【図３】
2005044742.tif 000005
【図４】
2005044742.tif 000006
【図５】
2005044742.tif 000007
【図６】
2005044742.tif 000008
【図７】
2005044742.tif 000009